(57)【要約】  基地局（１１０）は、無線端末（１２０）との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末（１２０）宛に送信する送信部と、前記送信データを受信した前記無線端末（１２０）から、前記無線リソースにおいて、前記第１のデータの受信成功又は受信失敗、あるいは、復号成功又は復号失敗を示す第１の応答情報を受信する受信部と、を備える。
2018138905.tif 000002
【特許請求の範囲】
【請求項１】
無線端末との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末宛に送信する送信部と、
前記送信データを受信した前記無線端末から、前記無線リソースにおいて、前記第１のデータの受信成功又は受信失敗、あるいは、復号成功又は復号失敗を示す第１の応答情報を受信する受信部と、を備える、基地局。
【請求項２】
前記送信データは、前記第１のデータと前記第２のデータとを時分割多重したデータであり、
前記受信部は、前記送信データの前記第２のデータの時分割多重タイミングよりも後において前記無線端末から送信された、前記第１の応答情報を受信する、請求項１に記載の基地局。
【請求項３】
前記送信データは、前記第１のデータと前記第２のデータとを空間多重したデータであり、
前記受信部は、前記送信データの前記第２のデータの空間多重タイミングよりも時間的に先行するタイミングにおいて前記無線端末から送信された、前記第１の応答情報を受信する、請求項１に記載の基地局。
【請求項４】
前記第２のデータは、前記基地局から前記無線端末を含む複数の無線端末の各々に対して送信される報知情報である、請求項１〜３のいずれか１項に記載の基地局。
【請求項５】
前記第２のデータは、シグナリングアクセスベアラ（ＳＲＢ）において伝送されるデータである、請求項１〜３のいずれか１項に記載の基地局。
【請求項６】
前記送信データは、前記第１の応答情報についての第１の送信タイミングを示す第１の制御情報、及び、前記第２のデータの受信成功又は受信失敗、あるいは、復号成功又は復号失敗を示す第２の応答情報についての第２の送信タイミングを示す第２の制御情報、の少なくとも一方を含む、請求項１〜５のいずれか１項に記載の基地局。
【請求項７】
前記送信部は、前記第１の応答情報についての第１の送信タイミングを示す情報、及び、前記第２のデータの受信成功又は受信失敗、あるいは、復号成功又は復号失敗を示す第２の応答情報についての第２の送信タイミングを示す情報、の少なくとも一方を、前記送信データの送信よりも前に前記無線端末に通知する、請求項１〜５のいずれか１項に記載の基地局。
【請求項８】
前記第２の送信タイミングを示す情報は、前記第２の応答情報の送信が不要である旨を含む、請求項６又は請求項７に記載の基地局。
【請求項９】
前記送信部は、前記第１のデータに対して前記無線端末個別のシーケンスによりスクランブルを行ない、前記第２のデータに対して前記基地局が提供するセル内で共通のシーケンスによりスクランブルを行なう、請求項１〜８のいずれか１項に記載の基地局。
【請求項１０】
前記送信部は、前記第１のデータを前記無線端末個別のリファレンス信号を用いて符号化し、前記第２のデータを前記基地局が提供するセル内で共通のリファレンス信号を用いて符号化する、請求項１〜９のいずれか１項に記載の基地局。
【請求項１１】
前記第１のデータに付加される誤り検出符号と、前記第２のデータに付加される誤り検出符号とが、異なるデータ長を有する、請求項１〜１０のいずれか１項に記載の基地局。
【請求項１２】
前記送信部は、前記第１のデータに対する符号化方式、及び、前記第２のデータに対する符号化方式について、互いに異なる符号化方式を用いる、請求項１〜１１のいずれか１項に記載の基地局。
【請求項１３】
前記送信部は、前記第１のデータに対してはダイナミックスケジューリングを行ない、前記第２のデータに対してはセミパーシステントスケジューリング又はパーシステントスケジューリングを行なう、請求項１〜１２のいずれか１項に記載の基地局。
【請求項１４】
前記送信データは、前記第１のデータの受信に用いる第１の情報と前記第２のデータの送信に用いる第２の情報とを含む制御情報と、前記第１のデータとを多重したデータであり、
前記受信部は、
前記無線端末により前記制御情報に含まれる前記第２の情報を用いて生成された前記第２のデータであって、前記送信データの前記第１のデータの多重タイミングよりも後において前記無線端末から送信された前記第２のデータを受信し、
前記無線端末により前記制御情報に含まれる前記第１の情報を用いて判定された前記応答情報であって、前記第２のデータの送信タイミングよりも後において前記無線端末から送信された前記応答情報を受信する、請求項１に記載の基地局。
【請求項１５】
基地局との時分割複信（ＴＤＤ）通信に用いる無線リソースにおいて、第１のデータを、前記第１のデータよりも遅延許容度の高い第２のデータよりも時間的に先行するタイミングで多重した送信データを、前記基地局から受信する受信部と、
前記無線リソースにおいて、前記第１のデータの受信成功又は受信失敗、あるいは、復号成功又は復号失敗を示す第１の応答情報を前記基地局宛に送信する送信部と、を備える、無線端末。
【請求項１６】
基地局と、
無線端末と、を備え、
前記基地局は、前記無線端末との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末宛に送信し、
前記無線端末は、前記無線リソースにおいて、前記第１のデータの受信成功又は受信失敗、あるいは、復号成功又は復号失敗を示す第１の応答情報を前記基地局宛に送信する、無線通信システム。
【請求項１７】
基地局と、無線端末と、を備えた無線通信システムにおける無線通信方法であって、
前記基地局は、前記無線端末との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末宛に送信し、
前記無線端末は、前記無線リソースにおいて、前記第１のデータの受信成功又は受信失敗、あるいは、復号成功又は復号失敗を示す第１の応答情報を前記基地局宛に送信する、無線通信方法。
【発明の詳細な説明】
【技術分野】
【０００１】
本発明は、基地局、無線端末、無線通信システム、及び無線通信方法に関する。
【背景技術】
【０００２】
Third Generation Partnership Project（３ＧＰＰ）で仕様の策定が進められている第５世代（Fifth Generation；５Ｇ）モバイル通信では、Self-contained TDD Subframeが検討されている。なお、ＴＤＤはTime Division Duplex（時分割複信）の略称である。以下、Self-contained TDDを「内蔵型ＴＤＤ」と表記する場合がある。【０００３】
内蔵型ＴＤＤでは、データとAutomatic Repeat Request（ＡＲＱ）応答とで同一の無線リソースを共有させることができる。【０００４】
例えば、３ＧＰＰで仕様が策定されるLong Term Evolution（ＬＴＥ）又はLTE-Advanced（ＬＴＥ−Ａ）（以下、これらを総称して、単に「ＬＴＥ」と表記する場合がある）では、同時送受信を実現する通信手法の一つとして、ＴＤＤが採用されている。ＬＴＥで採用されているＴＤＤでは、無線端末はUplink（ＵＬ）サブフレームのタイミングにおいてHybrid ARQ（ＨＡＲＱ）応答が可能である。換言すれば、ＴＤＤでは、ＵＬサブフレームの位置によってＨＡＲＱ  Round Trip Time（ＲＴＴ）が左右されていた。【０００５】
これに対し、内蔵型ＴＤＤサブフレームでは、無線端末はＵＬサブフレームを待つことなくＨＡＲＱ応答を送信することが可能となるため、レイテンシを削減可能となり、Uplink/Downlink（ＵＬ／ＤＬ）比と遅延とを切り離すことができる。
【先行技術文献】
【非特許文献】
【０００６】
【非特許文献１】John E. Smee, Ph.D.、「5G Design Across Services」、Qualcomm Technologies, Inc.、2015年5月
【非特許文献２】Patrick Marsch, Nokia Networks、Icaro Da Silva, Ericsson、「5G RAN Architecture and Functional Design」、METIS II、5G-PPP、2016年3月8日
【発明の概要】
【発明が解決しようとする課題】
【０００７】
上述のように、内蔵型ＴＤＤサブフレームでは、無線端末は、データを受信した無線リソースの末尾にて当該データのＡＣＫ又はＮＡＣＫを送信できるため、データを受信してからＡＣＫ又はＮＡＣＫを送信するまでの時間をＴＤＤよりも短くできる。なお、ＡＣＫ又はＮＡＣＫ（以下、「ＡＣＫ／ＮＡＣＫ」又は単に「ＡＣＫ」と表記する場合がある）は、受信成功又は受信失敗、あるいは、復号成功又は復号失敗を示す情報の一例である。【０００８】
しかし、無線端末によるＡＣＫ／ＮＡＣＫの決定は受信したデータのブロック復号処理結果を用いて行なわれるため、ブロック復号処理に要する時間によっては、ＡＣＫ応答の送信時間内に、無線端末がＡＣＫ／ＮＡＣＫを決定することが困難となる場合がある。【０００９】
１つの側面では、本発明は、無線端末によるデータ受信から受信成功又は受信失敗、あるいは、復号成功又は復号失敗を示す情報の送信までの時間を効率良く確保することを目的の１つとする。【００１０】
なお、前記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１１】
１つの側面において、基地局は、送信部と、受信部と、を備えてよい。前記送信部は、無線端末との時分割複信（ＴＤＤ）通信に用いる無線リソースにおいて、第１のデータを、第２のデータよりも時間的に先行するタイミングで多重した送信データを生成して、前記送信データを前記無線端末宛に送信してよい。前記第２のデータは、前記第１のデータよりも遅延許容度の高いデータであってよい。また、前記受信部は、前記送信データを受信した前記無線端末から、前記無線リソースにおいて、前記第１のデータの受信成功又は受信失敗、あるいは、復号成功又は復号失敗を示す第１の応答情報を受信してよい。
【発明の効果】
【００１２】
１つの側面では、無線端末によるデータ受信から受信成功又は受信失敗、あるいは、復号成功又は復号失敗を示す情報の送信までの時間を効率良く確保することができる。
【図面の簡単な説明】
【００１３】
【図１】一実施形態に係る無線通信システムの構成例を示すブロック図である。
【図２】内蔵型ＴＤＤサブフレームの一例を示す図である。
【図３】内蔵型ＴＤＤサブフレームにおけるガード時間を説明する図である。
【図４】遅延が許容されるデータの一例を示す図である。
【図５】遅延が許容されるデータの一例を示す図である。
【図６】制御情報のデータ構造の一例を示す図である。
【図７】下り制御情報を用いてＡＣＫ応答タイミングが通知される場合のシーケンスの一例を示す図である。
【図８】ＡＣＫ応答タイミングが予め報知情報によって通知される場合のシーケンスの一例を示す図である。
【図９】一実施形態に係る無線基地局の機能構成例を示すブロック図である。
【図１０】一実施形態に係る無線基地局のハードウェア構成例を示すブロック図である。
【図１１】一実施形態に係るUser Equipment（ＵＥ）の機能構成例を示すブロック図である。
【図１２】一実施形態に係るＵＥのハードウェア構成例を示すブロック図である。
【図１３】無線基地局によるスケジューリング処理の動作例を示すフローチャートである。
【図１４】無線基地局によるベースバンド処理の動作例を示すフローチャートである。
【図１５】ＵＥによる受信処理の動作例を示すフローチャートである。
【図１６】ＵＥによる送信処理の動作例を示すフローチャートである。
【図１７】ＵＥが低遅延データを受信した後にＵＬデータを送信する例を示す図である。
【発明を実施するための形態】
【００１４】
以下、図面を参照して本発明の実施の形態を説明する。ただし、以下に説明する実施形態は、あくまでも例示であり、以下に明示しない種々の変形や技術の適用を排除する意図はない。例えば、本実施形態を、その趣旨を逸脱しない範囲で種々変形して実施することができる。
【００１５】
なお、以下の実施形態で用いる図面において、同一符号を付した部分は、特に断らない限り、同一若しくは同様の部分を表す。
【００１６】
〔１〕一実施形態
〔１−１〕無線通信システムの構成例
図１は、一実施形態に係る無線通信システム１００の構成例を示すブロック図である。図１に示すように、一実施形態に係る無線通信システム１００は、例示的に、無線基地局１１０、User Equipment（ＵＥ）１２０、及び上位装置１３０を備えてよい。なお、無線通信システム１００は、複数の無線基地局１１０を備えてもよく、また、複数のＵＥ１２０を備えてもよい。
【００１７】
無線通信システム１００は、無線基地局１１０とＵＥ１２０との間で、予め定められた無線通信方式に従った無線通信を行なう。例えば、無線通信方式は、第５世代以降の無線通信方式であってもよく、ＬＴＥ／ＬＴＥ−Ａ、又はWorldwide Interoperability for Microwave Access（ＷｉＭＡＸ）等の既存の無線通信方式であってもよい。一例として、以下の説明では、無線通信方式は第５世代の内蔵型ＴＤＤサブフレームを用いた無線通信方式であるものとする。
【００１８】
無線基地局１１０は、基地局又は第１の無線通信装置の一例である。無線基地局１１０としては、例えば、マクロ基地局、マイクロ基地局、フェムト基地局、ピコ基地局、メトロ基地局、ホーム基地局、又はCentralized-Radio Access Network（Ｃ−ＲＡＮ）に接続される無線信号送受信装置等であってもよい。無線信号送受信装置としては、例えば、Remote Radio Equipment（ＲＲＥ）やRemote Radio Head（ＲＲＨ）等が挙げられる。
【００１９】
無線基地局１１０として無線信号送受信装置が用いられる場合、図１に示す無線基地局１１０のいずれかの位置、又は、無線基地局１１０と離れた位置に、無線基地局１１０の各々と接続されたデータ処理装置が存在してよい。データ処理装置は、無線信号送受信装置から送信されるデータ又は無線信号送受信装置で受信されたデータに対する種々の処理を行なう。データ処理装置としては、例えば、Baseband Unit（ＢＢＵ）等が挙げられる。この場合、無線基地局１１０としての機能は、データ処理装置及び無線信号送受信装置の双方に分散して存在してもよい。
【００２０】
無線基地局１１０は、無線エリアを形成又は提供してよい。なお、無線エリアには、複数の無線エリアを１つの仮想的な無線エリアとして扱う「仮想無線エリア」が含まれてもよい。無線エリアは、セル又はセクタであってよい。セルには、マクロセル、マイクロセル、フェムトセル、ピコセル、メトロセル、又はホームセル等のセルが含まれてよい。なお、セルは、無線基地局１１０が送信する無線電波をＵＥ１２０が所要品質で受信可能な範囲（例えば、所要の無線回線品質を満たすことができる範囲、カバレッジと称してもよい）に応じて形成される無線エリアの一例である。
【００２１】
なお、「セル」という用語は、無線基地局１１０が無線サービスを提供する個々の地理的範囲を意味する他、その個々の地理的範囲においてＵＥ１２０と通信を行なうために無線基地局１１０が管理する機能の一部をも意味してよい。以下の説明において、無線基地局１１０の機能又は動作を、当該無線基地局１１０が形成又は提供するセルの機能又は動作として説明する場合がある。
【００２２】
無線基地局１１０は、ＵＥ１２０との間で無線通信を行なうことにより、ＵＥ１２０と上位装置１３０との間、又は、ＵＥ１２０間の通信を中継してよい。無線通信は、無線基地局１１０からＵＥ１２０に割り当てられた無線リソースを用いて行なわれてよい。なお、無線リソースは時間及び周波数に関連するリソースであってよい。無線基地局１１０は、例えばＳ１インタフェースを介して上位装置１３０に接続されてよい。
【００２３】
ＵＥ１２０は無線端末又は第２の無線通信装置の一例である。ＵＥ１２０としては、例えば、スマートフォン等の携帯電話、タブレット端末、ラップトップ等の移動可能なPersonal Computer（ＰＣ）、モバイルルータ等のデータ通信装置、等の、無線通信機能を有する移動局が挙げられる。なお、移動局は、例えば車両等の移動体に取り付けられて移動してもよい。また、ＵＥ１２０は、これらの移動局の他にも、無線通信機能を有するセンサ等の装置（Integrated Circuit（ＩＣ）チップを含む）であってもよい。
【００２４】
上位装置１３０は制御装置の一例である。上位装置１３０としては、例えば、ＭＭＥ、ＳＧＷ、及び、他の制御又は管理ノード、の少なくとも１つが挙げられる。「ＭＭＥ」はMobility Management Entityの略称であり、例えば、無線基地局１１０を収容し、ネットワーク制御のControl Plane（Ｃ−ｐｌａｎｅ）の処理を行なってよい。「ＳＧＷ」はServing Gatewayの略称であり、例えば、User Plane（Ｕ−ｐｌａｎｅ）のデータ（ユーザデータ）を処理してよい。
【００２５】
上位装置１３０は、上位ネットワーク１４０に存在してよい。上位ネットワーク１４０としては、例えば、パケット通信が行なわれる有線ネットワークが挙げられる。パケット通信は、例えばInternet Protocol（ＩＰ）パケット通信であってよい。有線ネットワークは、Evolved Packet Core（ＥＰＣ）等のパケットコア網と称されてもよい。
【００２６】
〔１−２〕一実施形態の説明
次に、図２〜図８を参照して、一実施形態に係る手法について説明する。
【００２７】
図２に、内蔵型ＴＤＤサブフレームの一例として、無線基地局１１０からＵＥ１２０宛に送信されるＤＬ送信データと、ＵＥ１２０から無線基地局１１０宛に送信されるＵＬ  ＡＣＫ／ＮＡＣＫとを示す。ＤＬ送信データとＵＬ  ＡＣＫ／ＮＡＣＫとの間にはGuard Period（ＧＰ）が設けられてよい。ＧＰは、別個の信号（例えばＤＬ信号及びＵＬ信号）間の干渉を防ぐための領域の一例である。なお、ＧＰに相当する期間を無線基地局１１０又はＵＥ１２０によるタイミング制御によって実現してもよく、この場合、ＧＰは設けられなくてもよい。
【００２８】
なお、図２の例では、縦軸を周波数帯域、横軸を時間として、ＤＬ送信データとＵＬ  ＡＣＫ／ＮＡＣＫとが同一の周波数帯域であって時間的に連続した無線リソースを用いて伝送される様子を示す。
【００２９】
ＤＬ送信データには、宛先アドレスを含む「address headers」と、スケジューリング情報を含む制御情報の一例である「DL Control」と、送信対象となるデータ、例えばユーザデータを含む「Data」と、がマッピングされている。なお、「address headers」の位置には、参照信号の一例としてのReference Signal（ＲＳ）がマッピングされてもよい。ＵＥ１２０は、無線基地局１１０からＤＬ送信データを受信すると、「DL Control」に含まれるスケジューリング情報を用いて「Data」の復調及び復号を行ない、復調又は復号の処理結果を用いて決定したＡＣＫ／ＮＡＣＫをＵＥ１２０に送信する。
【００３０】
なお、ＡＣＫは受信成功又は復号成功を示す応答情報の一例であり、ＮＡＣＫは受信失敗又は復号失敗を示す応答情報の一例である。また、ＵＥ１２０から無線基地局１１０に送信されるＡＣＫ又はＮＡＣＫは、受信成功又は受信失敗、あるいは、復号成功又は復号失敗を示す応答情報の一例である。
【００３１】
図３に例示するように、ＵＥ１２０によるＡＣＫ／ＮＡＣＫの決定は、上述したようにデータの復調又は復号結果を用いて行なわれる。しかし、ＵＥ１２０では、データの受信後に（あるいは並行して）復調及び復号（例えばブロック復号）処理が行なわれるため、データの受信直後にＡＣＫ応答を無線基地局１１０に送信することは困難である。なお、５Ｇモバイル通信では、内蔵型ＴＤＤのタイムスロットにおいて、ＤＬ送信データからＡＣＫまでの時間として１００〜２００μｓ（マイクロ秒）程度が想定されている。
【００３２】
そこで、図３に例示するように、ＵＥ１２０によるデータを受信してからＡＣＫ応答までの処理時間を確保するために、ガード時間を長くとることが考えられる。なお、ガード時間は、例えば、ＧＰが無線リソースの時間方向に占める期間であってよい。
【００３３】
しかし、この場合、不当にガード時間が長くなり、当該ガード時間においてはデータ等の伝送が行なわれないため、無線リソースの利用効率を損なう可能性がある。
【００３４】
そこで、一実施形態に係る無線通信システム１００は、以下に例示する処理を行なってよい。
【００３５】
例えば、無線基地局１１０は、ＵＥ１２０との時分割複信（ＴＤＤ）通信に用いる無線リソースにおいて、第１のデータを、第２のデータよりも時間的に先行するタイミングで多重した送信データを生成して、送信データをＵＥ１２０宛に送信してよい。この第２のデータは、第１のデータよりも遅延許容度の高いデータであってよい。
【００３６】
また、ＵＥ１２０は、当該無線リソースにおいて、第１のデータの受信成功又は受信失敗、あるいは、復号成功又は復号失敗を示す第１の応答情報を無線基地局１１０宛に送信してよい。
【００３７】
これにより、ＵＥ１２０が送信データの第１のデータを受信してから第１の応答情報を無線基地局１１０宛に送信するまでの時間を、第２のデータの伝送に用いることができる。換言すれば、ＵＥ１２０による第１のデータを受信してから第１の応答情報を送信するまでの処理時間を確保するために設けられるガード時間のうちの少なくとも一部の時間を、第２のデータの伝送に充てることができる。
【００３８】
また、第２のデータは、第１のデータよりも遅延許容度の高いデータであるため、ＵＥ１２０は、第１の応答情報を無線基地局１１０に送信する処理を、第２のデータに係る応答情報を無線基地局１１０に送信する処理よりも優先して行なうことができる。
【００３９】
従って、ＵＥ１２０によるＡＣＫ応答までの時間を確保することができ、設計を容易とすることができる。また、第１のデータの受信後、ＡＣＫ応答までの空きリソースの有効活用を可能とすることができる。
【００４０】
なお、無線基地局１１０からＵＥ１２０への下り送信データは、第１のデータと第２のデータとを時分割多重（ＴＤＭ）したデータであってもよく、第１のデータと第２のデータとを空間多重（Spatial Mulplexing）したデータであってもよい。
【００４１】
多重方式として時分割多重が用いられる場合、ＵＥ１２０は、送信データの第２のデータの時分割多重タイミングよりも後において、第１の応答情報を無線基地局１１０に送信してよい。
【００４２】
多重方式として空間多重が用いられる場合、ＵＥ１２０は、送信データの第２のデータの空間多重タイミングよりも時間的に先行するタイミングにおいて、第１の情報を無線基地局１１０に送信してよい。このように、空間多重の場合、ＵＥ１２０は、第１のデータを受信してＡＣＫ応答を行なった後、第２のデータを受信してよい。
【００４３】
ところで、内蔵型ＴＤＤサブフレームは、上述のように、３ＧＰＰにおいて、ＵＬ／ＤＬ比と遅延とを切り離すことを達成する手法の一つとして検討されているが、さらに、以下を達成する手法の一つとしても位置付けられる。
【００４４】
（ａ）ライセンス／アンライセンス帯域、Ｍａｓｓｉｖｅ  ＭＩＭＯ、及びＤ２Ｄのいずれの方式も共通にカバーできるフレームフォーマットを提供すること。
【００４５】
なお、ＭＩＭＯはMultiple-Input and Multiple-Outputの略称であり、Ｄ２ＤはDevice to Deviceの略称である。
【００４６】
（ｂ）アプリケーションレイヤでの低遅延を実現すること。
【００４７】
これらは、例えば内蔵型ＴＤＤサブフレームの以下のような利点によって達成することができる。
【００４８】
（Ａ）データとＡＲＱ応答とで同一の無線リソースを共有することで、リソース管理が容易となる。
【００４９】
ＬＴＥでは、ＰＤＳＣＨに対応するＨＡＲＱ  ＡＣＫ応答は４サブフレーム後のＰＵＣＣＨ（ＰＤＳＣＨをスケジューリングしたＰＤＣＣＨのリソースに関連付けられる）若しくはＰＵＳＣＨ（ＵＬ−ＳＣＨがスケジューリングされている場合）で送信される。このように、或るルールに基づいて独立した無線リソースに割り当てられたＰＤＳＣＨとＨＡＲＱ  ＡＣＫ応答が関連付けられるという仕様は複雑であり、実装や仕様拡張の阻害となっていた。そこで、ＡＲＱ応答とで同一の無線リソースを共有するフレームフォーマットを採用することで、リソース管理を容易とすることができる。
【００５０】
なお、ＰＤＳＣＨはPhysical Downlink Shared Channelの略称であり、ＰＵＣＣＨはPhysical Uplink Control Channelの略称である。また、ＰＤＣＣＨはPhysical Downlink Control Channelの略称であり、ＰＵＳＣＨはPhysical Uplink Shared Channelの略称であり、ＵＬ−ＳＣＨはUplink Shared Channelの略称である。
【００５１】
（Ｂ）ＲＳがオンデマンド（On Demand）送信になりシステム全体のオーバヘッドを低減可能となる。
【００５２】
ＬＴＥでは、基地局はMulticast-Broadcast Single-Frequency Network（ＭＢＳＦＮ）サブフレーム以外のサブフレームではCell specific Reference Signal（Ｃ−ＲＳ）を全帯域に渡って送信しており、端末はこのＣ−ＲＳを用いて復調を実施する。内蔵型ＴＤＤサブフレームによれば、同一フレーム内でUE SpecificなＲＳを送信するため、Ｃ−ＲＳを含むセル共通情報の送受信によるオーバヘッドを少なくすることができる。
【００５３】
このように、内蔵型ＴＤＤサブフレームによれば、リソース管理の容易化やシステム全体の遅延低減という利点がある。
【００５４】
以上のことから、一実施形態に係る無線通信システム１００によれば、上述した内蔵型ＴＤＤサブフレームの利点を活かしつつ、ＵＥ１２０によるデータ受信からＡＣＫ応答までの時間を効率良く確保することができる。
【００５５】
〔１−２−１〕第１及び第２のデータについて
上述のように、第２のデータは、第１のデータよりも遅延許容度の高いデータである。例えば、第１のデータはＡＣＫ応答について低遅延が求められる低遅延データであってよく、第２のデータはＡＣＫ応答の遅延が許容される遅延許容データであってよい。このように、無線リソースには、低遅延データが前半に、遅延許容データが後半に、それぞれ配置されるものと捉えることができる。
【００５６】
（遅延許容データの第１の例）
遅延許容データの第１の例として、図４に示すように、ＡＣＫ応答が求められない共通情報が用いられてもよい。ＡＣＫ応答が求められない共通情報としては、System Information Block（ＳＩＢ）、ＲＳ等の報知情報が挙げられる。
【００５７】
図４に例示するように、第２のデータとして共通情報が用いられる場合、無線基地局１１０からの送信データには、第１のデータの一例である「Data」と、第２のデータの一例である「BCH」とが時分割多重されてよい。ＢＣＨは、Broadcast Channelの略称である。
【００５８】
３ＧＰＰでは、５Ｇモバイル通信において、無線トラフィックの輻輳を低減させる等のために、複数の無線端末に対するＲＳ等の情報の共通報知を止める若しくは制限することが検討されている。この場合、無線基地局１１０は、ＳＩＢやＲＳ等の共通情報を、周期的に、特定のタイミングで、あるいは、オンデマンドで、ＵＥ１２０に対して個別に送信することが考えられる。そこで、図４の例では、このような共通情報を第２のデータとして用いてよい。
【００５９】
なお、図４の例では、下り送信データの先頭に「RS」が存在するが、ＲＳは、「RS」及び「BCH」の一方又は双方にマッピングされてもよい。ＲＳは、位相雑音の算出や、Channel State Information（ＣＳＩ）の算出等の用途別にまとめられてもよい。
【００６０】
図４の例において、ＵＥ１２０は、第１のデータの一例である「Data」の復調を行ない、復調が完了すると復号を行なってよい。なお、復調は、例えば、Orthogonal Frequency Division Multiplexing（ＯＦＤＭ）シンボルの受信タイミングにおいて、シンボル単位で行なわれてよい。
【００６１】
そして、ＵＥ１２０は、復調結果を用いた受信成功又は受信失敗、あるいは、復号結果を用いた復号成功又は復号失敗を判定し、第１のタイミングで無線基地局１１０宛にＡＣＫ／ＮＡＣＫを送信してよい。
【００６２】
（遅延許容データの第２の例）
遅延許容データの第２の例として、図５に示すように、極低遅延が求められないRadio Access Bearer（ＲＡＢ）が用いられてもよい。ＲＡＢとしては、例えば、Signaling Radio Bearer（ＳＲＢ）、音声等が挙げられる。
【００６３】
図５に例示するように、第２のデータとしてＲＡＢ（例えばＲＡＢで伝送される情報）が用いられる場合、無線基地局１１０からの送信データには、第１のデータの一例である「VLL Data」と、第２のデータの一例である「non VLL Data」とが時分割多重されてよい。ＶＬＬは、Very Low Latency（極低遅延）の略称である。
【００６４】
図５の例において、ＵＥ１２０は、図４の例と同様に、第１のデータの一例である「VLL Data」の復調を行ない、復調が完了すると復号を行なってよい。
【００６５】
そして、ＵＥ１２０は、図４の例と同様に、復調結果を用いた受信成功又は受信失敗、あるいは、復号結果を用いた復号成功又は復号失敗を判定し、第１のタイミングで無線基地局１１０宛にＡＣＫ／ＮＡＣＫを送信してよい。
【００６６】
また、ＵＥ１２０は、第２のデータの一例である「non VLL Data」の復調を行ない、復調が完了すると復号を行なってよい。なお、「non VLL Data」の復調は、「VLL Data」と同様にシンボル単位で行なわれてよく、また、「VLL Data」の復号と少なくとも一部の時間区間で並行して行なわれてもよい。
【００６７】
そして、ＵＥ１２０は、復調結果を用いた受信成功又は受信失敗、あるいは、復号結果を用いた復号成功又は復号失敗を判定し、第２のタイミングで無線基地局１１０宛にＡＣＫ／ＮＡＣＫを送信してよい。
【００６８】
〔１−２−２〕ＡＣＫ応答タイミングについて
第１のデータのＡＣＫを返す第１のタイミング、第２のデータのＡＣＫが不要である旨（図４の例）、及び、第２のデータのＡＣＫを返す第２のタイミング（図５の例）、の少なくとも１つは、以下の（ｉ）又は（ii）の手法により通知されてよい。
【００６９】
（ｉ）無線基地局１１０からＵＥ１２０に、制御情報の一例である「Control」により通知される。
【００７０】
図６は、制御情報のデータ構造の一例を示す図である。図６に示すように、制御情報には、例示的に、データの先頭から、「共通情報」、「低遅延データ制御情報」、及び「遅延許容データ制御情報」が設定されてよい。なお、制御情報は、Transmission Time Interval（ＴＴＩ）のサブフレーム毎に設定されてよい。
【００７１】
「共通情報」には、全てのデータに共通する制御情報、例えば、低遅延データの有無、遅延許容データの有無、該当チャネルの時間長若しくはシンボル数等が含まれてよい。
【００７２】
低遅延データが送信される場合、下り制御情報にも「低遅延データ制御情報」が多重されてよい。「低遅延データ制御情報」には、低遅延データの送信ブロックサイズ、Phase-Shift Keying（ＰＳＫ）やQuadrature Amplitude Modulation（ＱＡＭ）等の変調方式、空間多重方式や空間多重パラメータ、低遅延データのＡＣＫ応答リソース等の情報が含まれてよい。換言すれば、「低遅延データ制御情報」は、第１の応答情報についての第１の送信タイミングを示す第１の制御情報の一例である。
【００７３】
遅延許容データが送信される場合、下り制御情報にも「遅延許容データ制御情報」が多重されてよい。「遅延許容データ制御情報」には、遅延許容データの送信ブロックサイズ、ＰＳＫやＱＡＭ等の変調方式、空間多重方式や空間多重パラメータ、遅延許容データのＡＣＫ応答リソース等の情報が含まれてよい。換言すれば、「遅延許容データ制御情報」は、第２の応答情報についての第２の送信タイミングを示す第２の制御情報の一例である。
【００７４】
図７に、下り制御情報を用いてＡＣＫ応答タイミングが通知される場合のシーケンスの一例を示す。例えば、ＵＥ１２０は、無線基地局１１０に対して、無線リンク接続確立要求を行ない、ＡＣＫ応答可能遅延時間を通知する（処理Ａ１）。無線基地局１１０は、ＵＥ１２０に対して、無線リンク確立設定を行なう（処理Ａ２）。
【００７５】
なお、無線リンク接続確立要求は、例えば、Random Access（ＲＡ；ランダムアクセス）手順におけるRandom Access Preambleであってもよい。ＡＣＫ応答可能遅延時間は、例えば、ＵＥ１２０が下り送信データを受信してからＡＣＫ応答を返すまでの最短の遅延時間であってもよく、あるいは、ＵＥ１２０の処理性能を示す情報等であってもよい。ＡＣＫ応答可能遅延は、無線リンク接続確立の手順において伝送される情報に含められてもよいし、このような情報とは別に、ＵＥ１２０から無線基地局１１０に通知されてもよい。
【００７６】
無線基地局１１０は、ＵＥ１２０宛の下りデータが発生すると、ＵＥ１２０に対して下りデータを送信し、制御情報でＵＥ１２０に対するＡＣＫ応答遅延時間を通知する（処理Ａ３）。ＵＥ１２０は、無線基地局１１０から通知されたＡＣＫ応答時間に従って、ＡＣＫ応答を送信する（処理Ａ４）。
【００７７】
（ii）無線基地局１１０からＵＥ１２０に予め通知される。
【００７８】
「予め通知」とは、第１のデータを含む下り送信データよりも前のサブフレームの制御情報等により通知されること、及び、所定の通信において通知されること、の少なくとも一方を含んでよい。「所定の通信」には、例えばＵＥ１２０が無線基地局１１０に接続するための処理、例えば無線基地局１１０とＵＥ１２０との間のランダムアクセス手順やRadio Resource Control（ＲＲＣ）接続手順等における通信、あるいは関連する通信が含まれてもよい。
【００７９】
図８に、ＡＣＫ応答タイミングが予め報知情報によって通知される場合のシーケンスの一例を示す。例えば、無線基地局１１０は、ＵＥ１２０に対して、報知情報を送信し、ＡＣＫ応答遅延時間を通知する（処理Ｂ１）。無線基地局１１０は、ＵＥ１２０に対して、下りデータを送信する（処理Ｂ２）。
【００８０】
ＵＥ１２０は、ＵＥ１２０は、報知情報により通知されたＡＣＫ応答時間に従って、ＡＣＫ応答を送信する（処理Ｂ３）。
【００８１】
〔１−３〕各装置の構成例
次に、図９〜図１２を参照して、一実施形態に係る無線基地局１１０及びＵＥ１２０の各々の構成例について説明する。なお、図９に示す無線基地局２１０及び図１０に示す無線基地局３１０は、それぞれ、図１に示す無線基地局１１０の一例である。また、図１１に示すＵＥ２２０及び図１２に示すＵＥ３２０は、それぞれ、図１に示すＵＥ１２０の一例である。
【００８２】
〔１−３−１〕基地局の構成例
図９に示すように、無線基地局２１０は、例示的に、アンテナ２１１、Radio Frequency（ＲＦ）受信部２１２、ベースバンド受信部２１３、スケジューリング部２１４、回線終端部２１５、ベースバンド送信部２１６、及び、ＲＦ送信部２１７を備えてよい。
【００８３】
アンテナ２１１は、ＵＥ２２０との間で無線信号を送受信するインタフェースの一例である。アンテナ２１１は、例えば、ＵＥ２２０から送信されたＵＬの無線信号を受信して、受信したＵＬの無線信号をＲＦ受信部２１２に出力してよい。また、アンテナ２１１は、ＲＦ送信部２１７から入力されたＤＬの無線信号（例えば変調信号）をＵＥ２２０へ送信してよい。なお、アンテナ２１１は、受信用及び送信用で別々に設けられてもよい。
【００８４】
ＲＦ受信部２１２は、ＵＬの受信信号について所定の受信処理を施して上り搬送波除去後信号を生成して、生成した当該信号をベースバンド受信部２１３に出力する。受信処理には、例示的に、受信信号の低雑音増幅、ベースバンド周波数への周波数変換（ダウンコンバート）、利得調整、復調等が含まれてもよい。
【００８５】
ベースバンド受信部２１３は、ＲＦ受信部２１２により上り受信信号から上り搬送波が除去された信号に対してベースバンド受信処理を施し、ベースバンド受信処理により得られた受信信号を回線終端部２１５に出力する。ベースバンド受信処理には、例示的に、スケジューリング部２１４から通知される上りスケジューリング情報を用いた復号が含まれてよい。
【００８６】
スケジューリング部２１４は、ＵＥ２２０から取得した、又は無線基地局２１０が測定した、ＵＥ２２０との間の無線回線品質等を用いて、上りスケジューリング情報及び下りスケジューリング情報を生成する。上りスケジューリングには、上りデータ伝送に使用する無線リソース、変調方式、及び符号化率等が含まれてよい。下りスケジューリング情報には、無線基地局２１０が通信先として選択したＵＥ２２０を示す情報、並びに、下りデータ伝送に使用する無線リソース、変調方式、及び符号化率等が含まれてよい。
【００８７】
回線終端部２１５は、無線ネットワーク又は有線ネットワークとの接続を終端する。有線ネットワークには、Ｓ１回線等の上位ネットワーク（例えば図１の上位ネットワーク１４０）、Ｘ２回線等の無線基地局２１０との間のネットワーク等が含まれてもよい。
【００８８】
例えば、回線終端部２１５は、ベースバンド受信部２１３から入力される受信信号を、当該受信信号の宛先又は経由先である上位ネットワークに送信してよい。また、回線終端部２１５は、上位ネットワークから受信したＵＥ２２０宛の送信信号を、ベースバンド送信部２１６に出力してよい。
【００８９】
ベースバンド送信部２１６は、回線終端部２１５から入力された送信信号に対してベースバンド送信処理を施し、ベースバンド送信処理により得られた下りベースバンド信号をＲＦ送信部２１７に出力する。ベースバンド送信処理には、例示的に、スケジューリング部２１４から通知される下りスケジューリング情報を用いた符号化が含まれてよい。
【００９０】
一実施形態において、ベースバンド送信部２１６は、スケジューリング部２１４から通知されたスケジューリング情報を用いて、内蔵型ＴＤＤサブフレームについて低遅延データ及び遅延許容データを生成しマッピングしてよい。
【００９１】
ＲＦ送信部２１７は、下りベースバンド信号について所定の送信処理を施して下り変調信号を生成し、生成した下り変調信号をアンテナ２１１に出力する。送信処理には、例示的に、信号の変調、無線周波数への周波数変換（アップコンバート）、電力増幅等が含まれてもよい。
【００９２】
上述したスケジューリング部２１４、回線終端部２１５、ベースバンド送信部２１６、及びＲＦ送信部２１７の少なくとも１つは、一実施形態に係る無線基地局１１０の送信系の処理を行なう送信部２１８の一例である。送信部２１８は、ＵＥ１２０との時分割複信（ＴＤＤ）通信に用いる無線リソースにおいて、第１のデータを、第２のデータよりも時間的に先行するタイミングで多重した送信データを生成して、送信データをＵＥ１２０宛に送信してよい。
【００９３】
また、上述したＲＦ受信部２１２、ベースバンド受信部２１３、及びスケジューリング部２１４の少なくとも１つは、一実施形態に係る無線基地局１１０の受信系の処理を行なう受信部２１９の一例である。受信部２１９は、送信データを受信したＵＥ１２０から、上記無線リソースにおいて、第１のデータの受信成功又は受信失敗、あるいは、復号成功又は復号失敗を示す第１の応答情報を受信してよい。
【００９４】
次に、図１０を参照して、無線基地局３１０のハードウェア構成例について説明する。図１０に示すように、無線基地局３１０は、例示的に、アンテナ３１１、ＲＦ回路３１２、Integrated Circuit（ＩＣ）３１３、プロセッサ３１５、記憶領域３１４及び３１６、並びに、ネットワークInterface（ＩＦ）３１７を備えてよい。
【００９５】
アンテナ３１１は、図９に示すアンテナ２１１の一例であり、ＵＥ３２０（図１２参照）との間で無線信号の送受信を行なってよい。ＲＦ回路３１２は、図９に示すＲＦ受信部２１２及びＲＦ送信部２１７の一例である。なお、ＲＦ回路３１２は、ＲＦ受信部２１２とＲＦ送信部２１７とで別々に設けられてもよい。
【００９６】
ＩＣ３１３は、図９に示すベースバンド受信部２１３及びベースバンド送信部２１６の一例である。プロセッサ３１５は、図９に示すスケジューリング部２１４及び回線終端部２１５の一例である。
【００９７】
ＩＣ３１３及びプロセッサ３１５は、それぞれ種々の制御や演算を行なってよい。ＩＣ３１３及びプロセッサ３１５としては、それぞれ、例えば、ＣＰＵ、ＭＰＵ、ＤＳＰ、ＡＳＩＣ、又は、ＦＰＧＡ等の集積回路（ＩＣ）が挙げられる。なお、ＣＰＵはCentral Processing Unitの略称であり、ＭＰＵはMicro Processing Unitの略称であり、ＤＳＰはDigital Signal Processorの略称である。また、ＡＳＩＣはApplication Specific Integrated Circuitの略称であり、ＦＰＧＡはField Programmable Gate Arrayの略称である。
【００９８】
記憶領域３１４及び３１６は、それぞれ、ＩＣ３１３及びプロセッサ３１５に用いられ、制御情報やユーザデータ等の種々のデータ及びプログラム等の情報を格納するハードウェアの一例である。記憶領域３１４及び３１６としては、それぞれ、例えば、揮発性メモリ及び不揮発性メモリの少なくとも一方が用いられてよい。揮発性メモリとしては、例えばRandom Access Memory（ＲＡＭ）が挙げられる。不揮発性メモリとしては、例えばRead Only Memory（ＲＯＭ）、フラッシュメモリ、又は、Electrically Erasable Programmable Read-Only Memory（ＥＥＰＲＯＭ）等が挙げられる。
【００９９】
ネットワークＩＦ３１７は、上位ネットワーク（例えば図１の上位ネットワーク１４０）との間の接続及び通信の制御等を行なう通信インタフェースの一例であり、上位装置１３０（図１参照）との間で信号の送受信を行なってよい。
【０１００】
例えば、ＩＣ３１３及びプロセッサ３１５は、それぞれ、記憶領域３１４及び３１６に格納されたプログラムを実行することにより、図９に示す無線基地局２１０の機能を実現できる。
【０１０１】
〔１−３−２〕無線端末の構成例
図１１に示すように、ＵＥ２２０は、例示的に、アンテナ２２１、ＲＦ受信部２２２、ベースバンド受信部２２３、レイヤ２処理部２２４、ベースバンド送信部２２５、及び、ＲＦ送信部２２６を備えてよい。
【０１０２】
アンテナ２２１は、無線基地局２１０との間で無線信号を送受信するインタフェースの一例である。アンテナ２２１は、例えば、無線基地局２１０から送信されたＤＬの無線信号を受信して、受信したＤＬの無線信号をＲＦ受信部２２２に出力してよい。また、アンテナ２２１は、ＲＦ送信部２２６から入力されたＵＬの無線信号（例えば変調信号）を無線基地局２１０へ送信してよい。なお、アンテナ２２１は、受信用及び送信用で別々に設けられてもよい。
【０１０３】
ＲＦ受信部２２２は、ＤＬの受信信号について所定の受信処理を施して下り搬送波除去後信号を生成して、生成した当該信号をベースバンド受信部２２３に出力する。受信処理には、例示的に、受信信号の低雑音増幅、ベースバンド周波数への周波数変換（ダウンコンバート）、利得調整、復調等が含まれてもよい。
【０１０４】
ベースバンド受信部２２３は、ＲＦ受信部２２２により下り受信信号から下り搬送波が除去された信号に対してベースバンド受信処理を施し、ベースバンド受信処理により得られた受信信号をレイヤ２処理部２２４に出力する。ベースバンド受信処理には、例示的に、下りスケジューリング情報を用いた復号が含まれてよい。下りスケジューリング情報は、例えば、無線基地局２１０から受信したデータの制御情報に含まれてよい。
【０１０５】
レイヤ２処理部２２４は、レイヤ２に関する種々の処理を行なう。一例として、レイヤ２処理部２２４は、無線リソースの割り当てやＨＡＲＱ再送制御等に関するMedium Access Control（ＭＡＣ）層に関する処理を行なってよい。例えば、レイヤ２処理部２２４は、ベースバンド受信部２２３から入力される受信信号等を用いてＡＣＫ／ＮＡＣＫ等の決定を行なってよい。また、レイヤ２処理部２２４は、ＵＥ２２０のプロセッサ３２５（図１２参照）との間で、受信した受信信号や送信する送信信号の受け渡しを行なってよい。なお、送信信号には、ユーザデータや種々の制御情報（例えばＡＣＫ応答）が含まれてもよい。
【０１０６】
ベースバンド送信部２２５は、レイヤ２処理部２２４から入力された送信信号に対してベースバンド送信処理を施し、ベースバンド送信処理により得られた上りベースバンド信号をＲＦ送信部２２６に出力する。ベースバンド送信処理には、例示的に、上りスケジューリング情報を用いた符号化が含まれてよい。上りスケジューリング情報は、例えば、無線基地局２１０から受信したデータの制御情報に含まれてよい。
【０１０７】
ＲＦ送信部２２６は、上りベースバンド信号について所定の送信処理を施して上り変調信号を生成し、生成した上り変調信号をアンテナ２２１に出力する。送信処理には、例示的に、信号の変調、無線周波数への周波数変換（アップコンバート）、電力増幅等が含まれてもよい。
【０１０８】
上述したＲＦ受信部２２２及びベースバンド受信部２２３の少なくとも１つは、一実施形態に係るＵＥ１２０の受信系の処理を行なう受信部２２８の一例である。受信部２２８は、無線基地局１１０との時分割複信（ＴＤＤ）通信に用いる無線リソースにおいて、第１のデータを、第２のデータよりも時間的に先行するタイミングで多重した送信データを、無線基地局１１０から受信してよい。
【０１０９】
また、上述したベースバンド送信部２２５、ＲＦ送信部２２６、及びレイヤ２処理部２２４の少なくとも１つは、一実施形態に係るＵＥ１２０の送信系の処理を行なう送信部２２９の一例である。送信部２２９は、上記無線リソースにおいて、第１のデータの受信成功又は受信失敗、あるいは、復号成功又は復号失敗を示す第１の応答情報を無線基地局１１０宛に送信してよい。
【０１１０】
次に、図１２を参照して、ＵＥ３２０のハードウェア構成例について説明する。図１２に示すように、ＵＥ３２０は、例示的に、アンテナ３２１、ＲＦ回路３２２、ＩＣ３２３、プロセッサ３２５、並びに、記憶領域３２４及び３２６を備えてよい。
【０１１１】
アンテナ３２１は、図１１に示すアンテナ２２１の一例であり、無線基地局３１０との間で無線信号の送受信を行なってよい。ＲＦ回路３２２は、図１１に示すＲＦ受信部２２２及びＲＦ送信部２２６の一例である。なお、ＲＦ回路３２２は、ＲＦ受信部２２２とＲＦ送信部２２６とで別々に設けられてもよい。
【０１１２】
ＩＣ３２３は、図１１に示すベースバンド受信部２２３及びベースバンド送信部２２５の一例である。プロセッサ３２５は、図１１に示すレイヤ２処理部２２４の一例である。
【０１１３】
ＩＣ３２３及びプロセッサ３２５は、それぞれ種々の制御や演算を行なってよい。ＩＣ３２３及びプロセッサ３２５としては、それぞれ、例えば、ＣＰＵ、ＭＰＵ、ＤＳＰ、ＡＳＩＣ、又は、ＦＰＧＡ等の集積回路（ＩＣ）が挙げられる。
【０１１４】
記憶領域３２４及び３２６は、それぞれ、ＩＣ３２３及びプロセッサ３２５に用いられ、制御情報やユーザデータ等の種々のデータ及びプログラム等の情報を格納するハードウェアの一例である。記憶領域３２４及び３２６としては、それぞれ、例えば、揮発性メモリ及び不揮発性メモリの少なくとも一方が用いられてよい。揮発性メモリとしては、例えばＲＡＭが挙げられる。不揮発性メモリとしては、例えばＲＯＭ、フラッシュメモリ、又は、ＥＥＰＲＯＭ等が挙げられる。
【０１１５】
例えば、ＩＣ３２３及びプロセッサ３２５は、それぞれ、記憶領域３２４及び３２６に格納されたプログラムを実行することにより、図１１に示すＵＥ２２０の機能を実現できる。
【０１１６】
〔１−４〕動作例
次に、図１３〜図１６を参照して、上述の如く構成された無線通信システム１００の動作例について、図９及び図１１に示す無線基地局２１０及びＵＥ２２０の機能構成例を用いて説明する。
【０１１７】
〔１−４−１〕スケジューリング処理
図１３に例示するように、無線基地局２１０のスケジューリング部２１４は、ベースバンド送信部２１６からユーザ（例えばＵＥ２２０）ごとの送信バッファサイズを取得する。そして、スケジューリング部２１４は、送信バッファサイズが“０”よりも大きいＵＥ２２０、換言すれば、送信すべきデータのあるＵＥ２２０をスケジューリング対象として抽出する（ステップＰ１１）。なお、送信バッファには、例えば回線終端部２１５により、ユーザごとに当該ユーザを宛先としたデータ等が格納されてよい。
【０１１８】
スケジューリング部２１４は、抽出したＵＥ２２０の中から該当タイミングで送信するＵＥ２２０を選択する（ステップＰ１２）。ＵＥ２２０の選択の手法としては、例えば、ラウンドロビンによる選択や、Proportional Fairness（ＰＦ）に基づく選択等が挙げられる。
【０１１９】
スケジューリング部２１４は、選択したＵＥ２２０について低遅延データのバッファサイズに基づき、低遅延データの送信ブロックサイズ、変調方式、符号化率等に関するスケジューリングパラメータを決定する（ステップＰ１３）。
【０１２０】
また、スケジューリング部２１４は、選択したＵＥ２２０について遅延許容データのバッファサイズに基づき、遅延許容データの送信ブロックサイズ、変調方式、符号化率等に関するスケジューリングパラメータを決定する（ステップＰ１４）。
【０１２１】
そして、スケジューリング部２１４は、低遅延データ及び遅延許容データのそれぞれのデータのスケジューリングパラメータを含むスケジューリング情報をベースバンド送信部２１６に通知し（ステップＰ１５）、スケジューリング処理が終了する。
【０１２２】
なお、ステップＰ１５でベースバンド送信部２１６に通知されるスケジューリング情報には、低遅延データ及び遅延許容データの少なくとも一方についてのＡＣＫ応答タイミングが含まれてもよい。ＡＣＫ応答タイミングは、例えば、ステップＰ１３及びＰ１４において決定されてもよい。ＡＣＫ応答タイミングは、例えば、ＵＥ２２０の種別や能力等に応じて決定されてよい。
【０１２３】
〔１−４−２〕ベースバンド処理
図１４に例示するように、無線基地局２１０のベースバンド送信部２１６及びＲＦ送信部２１７は、スケジューリング部２１４からスケジューリング情報を受信すると、当該スケジューリング情報に基づいて下り送信データを生成する。
【０１２４】
例えば、ベースバンド送信部２１６は、スケジューリング情報で通知された周波数リソースについて、リファレンス信号を生成する。そして、ベースバンド送信部２１６は、リファレンス信号がマッピングされることが予め定められた時間周波数リソースにマッピングを行なう（ステップＰ２１）。
【０１２５】
また、ベースバンド送信部２１６は、ＲＦ送信部２１７とともに、スケジューリング情報を用いて、低遅延データ及び遅延許容データの双方の送信情報を含む下り制御情報について符号化及び変調処理を行なう。そして、ベースバンド送信部２１６は、変調した下り制御情報について、スケジューリング情報で通知された周波数リソースに対して、下り制御情報がマッピングされることが予め定められた時間周波数リソースにマッピングを行なう（ステップＰ２２）。
【０１２６】
なお、無線基地局２１０は、例えば、下り制御情報を用いてＵＥ２２０にＡＣＫ応答タイミングを通知してもよい。ＡＣＫ応答タイミングを通知する場合、ベースバンド送信部２１６は、スケジューリング部２１４から通知されたＡＣＫ応答タイミングの情報を下り制御情報に多重してよい。
【０１２７】
さらに、ベースバンド送信部２１６は、ＲＦ送信部２１７とともに、スケジューリング情報を用いて、低遅延データの符号化及び変調処理を行なう。そして、ベースバンド送信部２１６は、変調した低遅延データについて、スケジューリング情報で通知された低遅延データ送信用の時間周波数リソースにマッピングを行なう（ステップＰ２３）。
【０１２８】
また、ベースバンド送信部２１６は、ＲＦ送信部２１７とともに、スケジューリング情報に基づき、遅延許容データの符号化及び変調処理を行なう。そして、ベースバンド送信部２１６は、変調した遅延許容データについて、スケジューリング情報で通知された遅延許容データ送信用の時間周波数リソースにマッピングを行ない（ステップＰ２４）、ベースバンド処理が終了する。
【０１２９】
なお、ステップＰ２１〜Ｐ２４により生成された下り送信データは、ＲＦ送信部２１７により残りの送信処理が施され、アンテナ２１１を介してＵＥ２２０に送信される。
【０１３０】
〔１−４−３〕受信処理
図１５に例示するように、ＵＥ２２０のＲＦ受信部２２２及びベースバンド受信部２２３は、無線基地局２１０からのリファレンス信号を受信し（ステップＰ３１）、受信したリファレンス信号に基づいてチャネル推定を実施する（ステップＰ３２）。
【０１３１】
そして、ＲＦ受信部２２２及びベースバンド受信部２２３は、チャネル推定結果を用いて、下り制御信号の復調及び復号を行ない（ステップＰ３３）、低遅延データの復調及び復号を行なう（ステップＰ３４）。
【０１３２】
ベースバンド受信部２２３は、低遅延データの復調及び復号結果を用いて、ＡＣＫ又はＮＡＣＫを決定し、決定したＡＣＫ又はＮＡＣＫを示す情報をフィードバック情報としてベースバンド送信部２２５に通知する（ステップＰ３５）。
【０１３３】
ＲＦ受信部２２２及びベースバンド受信部２２３は、チャネル推定結果を用いて、遅延許容データの復調及び復号を行ない（ステップＰ３６）、受信処理が終了する。
【０１３４】
なお、復号された低遅延データ及び遅延許容データは、それぞれレイヤ２処理部２２４に出力されてよい。
【０１３５】
〔１−４−４〕送信処理
図１６に例示するように、ＵＥ２２０は、無線基地局２１０から受信した下り制御情報に多重されているＡＣＫ応答タイミングに基づきＡＣＫ／ＮＡＣＫ応答の送信を実施してよい。
【０１３６】
例えば、ＵＥ２２０のレイヤ２処理部２２４及びベースバンド送信部２２５は、ＡＣＫ及びＮＡＣＫの双方のフィードバック送信データを生成する（ステップＰ４１）。
【０１３７】
そして、ベースバンド送信部２２５は、ベースバンド受信部２２３からのフィードバック情報の通知を待つ（ステップＰ４２）。フィードバック情報は、例えば、図１５のステップＰ３５においてベースバンド受信部２２３から通知されてよい。
【０１３８】
ベースバンド送信部２２５は、通知されたフィードバック情報がＡＣＫか否かを判定する（ステップＰ４３）。フィードバック情報がＡＣＫの場合（ステップＰ４３でＹｅｓ）、ベースバンド送信部２２５は、ＲＦ送信部２２６とともに、ステップＰ４１で生成したＡＣＫのフィードバック送信データをマッピングして無線基地局２１０に送信する（ステップＰ４４）。
【０１３９】
一方、フィードバック情報がＮＡＣＫの場合（ステップＰ４３でＮｏ）、ベースバンド送信部２２５は、ＲＦ送信部２２６とともに、ステップＰ４１で生成したＮＡＣＫのフィードバック送信データをマッピングして無線基地局２１０に送信する（ステップＰ４５）。
【０１４０】
以上により、ＵＥ２２０による送信処理が終了する。
【０１４１】
なお、図１６に例示する送信処理のＡＣＫ応答タイミングは、ＵＥ２２０毎に予め定められてもよい。例えば、上位レイヤによるＵＥ２２０に対するパラメータ設定によってＵＥ２２０に対してＡＣＫ応答タイミングが設定されてもよい。また、例えば、報知情報によって設定されてもよい。これらのＡＣＫ応答タイミングは、少なくとも低遅延データ用と遅延許容データ用とでそれぞれ個別に設定されてもよい。このように、ＵＥ２２０は、これらの予め設定されたＡＣＫ応答タイミングを用いてＡＣＫ応答を実施してもよい。
【０１４２】
〔１−５〕変形例
一実施形態に係る手法は以下の（Ｉ）〜（IX）のいずれか、又は、これらの２以上の組み合わせに従って変形してもよい。
【０１４３】
（Ｉ）一実施形態において、無線基地局１１０は、ＵＥ１２０に対して、低遅延データを遅延許容データよりも時間的に先行するタイミングで多重した下り送信データを送信するものとしたが、これに限定されるものではない。
【０１４４】
一例として、ＵＥ１２０は、無線基地局１１０から低遅延データを受信した後、ＡＣＫ応答の処理時間を確保するためにＵＬデータを送信してもよい。すなわち、遅延許容データを送信する下り無線リソースについて、下りのデータを無線基地局１１０が送信する代わりに、ＵＥ１２０が無線基地局１１０に対して上りのデータを送信してもよい。
【０１４５】
図１７は、ＵＥ１２０が低遅延データを受信した後にＵＬデータを送信する例を示す図である。図１７に示すように、ＵＥ１２０は、ＵＬデータ送信処理として、ＵＬデータの送信を指示する制御信号を受信し、制御信号に基づきデータの符号化及び変調等の処理を行ない、変調したＵＬデータを無線基地局１１０宛に送信してよい。また、ＵＥ１２０は、ＡＣＫ応答処理として、ＤＬデータを復調及び復号し、復調及び復号結果に基づき無線基地局１１０宛にＡＣＫを送信してよい。
【０１４６】
このように、ＵＥ１２０は、送信系（例えば図１１のベースバンド送信部２２５及びＲＦ送信部２２６等）がＵＬデータ送信を行なうことにより、受信系（例えば図１１のＲＦ受信部２２２及びベースバンド受信部２２３）でのＤＬデータの受信時間を確保できる。
【０１４７】
他の観点では、ＵＥ１２０によるＵＬデータの符号化処理時間を稼ぐために、無線基地局１１０は、無線リソースにおいて、無線基地局１１０による制御信号の送信とＵＥ１２０によるＵＬデータの送信との間にＤＬデータ送信を含んでいると捉えることもできる。
【０１４８】
図１７について、具体的に説明すると、無線基地局１１０は、下り信号として、リファレンス信号、制御信号、及び下り低遅延データチャネルを送信した後、ＵＥ１２０からの上りデータチャネル、及びＡＣＫ応答を受信してよい。制御信号は、ＵＥ１２０において下り低遅延データチャネルを復調及び復号するための第１の情報と、ＵＥ１２０において上りデータチャネルを送信するための第２の情報と、を含んでよい。なお、第１及び第２の情報は、それぞれ、スケジューリング情報であってよい。
【０１４９】
ＵＥ１２０は無線基地局１１０から送信されたリファレンス信号、制御信号、及び下り低遅延データチャネルを受信し、リファレンス信号を利用して制御信号の復調及び復号を行なって制御信号に多重されているスケジューリング情報を取得してよい。
【０１５０】
次に、ＵＥ１２０は、リファレンス信号とスケジューリング情報とを利用して下り低遅延データチャネルの復調及び復号を試み、復号結果の成否に従ってＡＣＫ又はＮＡＣＫの応答を決定してよい。ここで、スケジューリング情報に上りデータ送信の指示が含まれている場合、ＵＥ１２０は、下り低遅延データチャネルの直後のタイミングで上りデータチャネルの送信が可能となるように、上りデータの符号化及び変調処理を行なってよい。そして、ＵＥ１２０は、変調した上りデータチャネルを無線基地局１１０宛に送信してよい。
【０１５１】
このように、図１７の例において、無線基地局１１０からＵＥ１２０への送信データは、第１のデータの受信に用いる第１の情報と第２のデータの送信に用いる第２の情報とを含む制御情報と、第１のデータとを多重したデータであってよい。
【０１５２】
また、無線基地局１１０は、ＵＥ１２０により制御情報に含まれる第２の情報を用いて生成された第２のデータであって、送信データの第１のデータの多重タイミングよりも後においてＵＥ１２０から送信された第２のデータを受信してよい。さらに、無線基地局１１０は、ＵＥ１２０により制御情報に含まれる第１の情報を用いて判定された応答情報であって、第２のデータの送信タイミングよりも後においてＵＥ１２０から送信された応答情報を受信してよい。
【０１５３】
（II）無線基地局１１０は、第１のデータに対して端末個別のシーケンス、例えばＵＥ１２０個別のシーケンスによりスクランブルを行ない、第２のデータに対してセル共通のシーケンスによりスクランブルを行なってもよい。第２のデータは、例えば、セル内の他の無線端末によってもデスクランブルされてよい。
【０１５４】
（III）無線基地局１１０は、第１のデータを端末個別のリファレンス信号、例えばＵＥ１２０個別のリファレンス信号を用いて符号化し、第２のデータをセル共通のリファレンス信号を用いて符号化してもよい。ＵＥ１２０は、第１のデータを端末個別のリファレンス信号、例えばＵＥ１２０個別のリファレンス信号を用いて復調し、第２のデータをセル共通のリファレンス信号を用いて復調してもよい。なお、セル共通のリファレンス信号は、無線基地局１１０からのＢＣＨ等の報知情報又は共通情報に含まれてもよい。
【０１５５】
（IV）第１のデータに付加されるCyclic Redundancy Check（ＣＲＣ）等の誤り検出符号と、第２のデータに付加される誤り検出符号とは、異なるデータ長を有してもよい。例えば、第１のデータに付加される誤り検出符号を、第２のデータに付加される誤り検出符号よりも短くすることで、第１のデータに対する誤り検出及び誤り訂正等の処理時間を短くできる。これにより、ＵＥ１２０が第１のデータを受信してからＡＣＫ応答を送信するまでの時間を短縮できる。
【０１５６】
（Ｖ）無線基地局１１０は、第１のデータに対する符号化方式、及び、第２のデータに対する符号化方式について、互いに異なる符号化方式を適用してもよい。
【０１５７】
（VI）無線基地局１１０は、第１のデータに対してはDynamic Schedulingを行ない、第２のデータに対してはSemi-Persistent Scheduling（ＳＰＳ）又はPersistent Schedulingを行なってもよい。
【０１５８】
（VII）一実施形態において、無線基地局１１０からＵＥ１２０宛の下り送信データにおけるデータ領域には、１つ（例えば第１）又は２つ（例えば第１及び第２）のデータが含まれるものとしたが、３つ以上のデータが含まれてもよい。データ領域に多重されるデータ数ｎ（ｎは１以上の整数）、及び、ｎ個のデータの選択は、例えば、無線基地局１１０により、ｎ個のデータのうちの第１のデータに対するＡＣＫ／ＮＡＣＫの決定に要する時間と、残りのデータの受信時間と、から決定されてもよい。
【０１５９】
一例として、無線基地局１１０は、第１のデータに対するＡＣＫ／ＮＡＣＫの決定に要する時間よりも短い受信時間且つ最大の受信時間となるように、第１のデータとともに多重するデータ及びデータ数を決定してよい。なお、図６を用いて説明した制御情報には、第１のデータとともに多重されるデータ毎に個別の制御情報が設定されてもよい。
【０１６０】
（VIII）データ領域に多重されるデータ数ｎが２以上の場合、無線基地局１１０は、データ領域における第２のデータ及びそれ以降のデータの開始位置を、例えば、サブフレーム内に含まれるそれぞれのデータのＯＦＤＭシンボルの番号で表現してよい。このような開始位置は、例えば、図６を用いて説明した制御情報に設定されてよい。
【０１６１】
（IX）無線基地局１１０は、第１のデータに対するＨＡＲＱ  ＡＣＫフィードバックの送信タイミング、及び、第２のデータに対するＨＡＲＱ  ＡＣＫフィードバックの送信タイミングを、例えば、以下のように指定してもよい。
Timing=0はＨＡＲＱ  ＡＣＫフィードバック不要
Timing=1は同一サブフレーム内でＨＡＲＱ  ＡＣＫフィードバックを送信する
Timing=2は次のサブフレーム内でＨＡＲＱ  ＡＣＫフィードバックを送信する
【０１６２】
〔２〕その他
上述した実施形態及び変形例は、各実施形態の趣旨を逸脱しない範囲で種々変形して実施することができる。各実施形態の各構成及び各処理は、必要に応じて取捨選択することができ、あるいは適宜組み合わせてもよい。
【符号の説明】
【０１６３】
１００    無線通信システム
１１０、２１０、３１０    基地局
１２０、２２０、３２０    無線端末
１３０    上位装置
１４０    上位ネットワーク
２１１、２２１、３１１、３２１    アンテナ
２１２、２２２    ＲＦ受信部
２１３、２２３    ベースバンド受信部
２１４    スケジューリング部
２１５    回線終端部
２１６、２２５    ベースバンド送信部
２１７、２２６    ＲＦ送信部
２１８、２２９    送信部
２１９、２２８    受信部
２２４    レイヤ２処理部
３１２、３２２    ＲＦ回路
３１３、３２３    ＩＣ
３１４、３１６、３２４、３２６    記憶領域
３１５、３２５    プロセッサ
３１７    ネットワークＩＦ
【図１】
2018138905.tif 000003
【図２】
2018138905.tif 000004
【図３】
2018138905.tif 000005
【図４】
2018138905.tif 000006
【図５】
2018138905.tif 000007
【図６】
2018138905.tif 000008
【図７】
2018138905.tif 000009
【図８】
2018138905.tif 000010
【図９】
2018138905.tif 000011
【図１０】
2018138905.tif 000012
【図１１】
2018138905.tif 000013
【図１２】
2018138905.tif 000014
【図１３】
2018138905.tif 000015
【図１４】
2018138905.tif 000016
【図１５】
2018138905.tif 000017
【図１６】
2018138905.tif 000018
【図１７】
2018138905.tif 000019
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
無線端末との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末宛に送信する送信部と、
前記送信データを受信した前記無線端末から、前記無線リソースにおいて、前記第１のデータの受信成功又は受信失敗、あるいは、復号成功又は復号失敗を示す第１の応答情報を受信する受信部と、を備える、基地局。
【請求項２】
前記送信データは、前記第１のデータと前記第２のデータとを時分割多重したデータであり、
前記受信部は、前記送信データの前記第２のデータの時分割多重タイミングよりも後において前記無線端末から送信された、前記第１の応答情報を受信する、請求項１に記載の基地局。
【請求項３】
前記送信データは、前記第１のデータと前記第２のデータとを空間多重したデータであり、
前記受信部は、前記送信データの前記第２のデータの空間多重タイミングよりも時間的に先行するタイミングにおいて前記無線端末から送信された、前記第１の応答情報を受信する、請求項１に記載の基地局。
【請求項４】
前記第２のデータは、前記基地局から前記無線端末を含む複数の無線端末の各々に対して送信される報知情報である、請求項１〜３のいずれか１項に記載の基地局。
【請求項５】
前記第２のデータは、シグナリングアクセスベアラ（ＳＲＢ）において伝送されるデータである、請求項１〜３のいずれか１項に記載の基地局。
【請求項６】
前記送信データは、前記第１の応答情報についての第１の送信タイミングを示す第１の制御情報、及び、前記第２のデータの受信成功又は受信失敗、あるいは、復号成功又は復号失敗を示す第２の応答情報についての第２の送信タイミングを示す第２の制御情報、の少なくとも一方を含む、請求項１〜５のいずれか１項に記載の基地局。
【請求項７】
前記送信部は、前記第１の応答情報についての第１の送信タイミングを示す情報、及び、前記第２のデータの受信成功又は受信失敗、あるいは、復号成功又は復号失敗を示す第２の応答情報についての第２の送信タイミングを示す情報、の少なくとも一方を、前記送信データの送信よりも前に前記無線端末に通知する、請求項１〜５のいずれか１項に記載の基地局。
【請求項８】
前記第２の送信タイミングを示す情報は、前記第２の応答情報の送信が不要である旨を含む、請求項６又は請求項７に記載の基地局。
【請求項９】
前記送信データは、前記第１のデータの受信に用いる第１の情報と前記第２のデータの送信に用いる第２の情報とを含む制御情報と、前記第１のデータとを多重したデータであり、
前記受信部は、
前記無線端末により前記制御情報に含まれる前記第２の情報を用いて生成された前記第２のデータであって、前記送信データの前記第１のデータの多重タイミングよりも後において前記無線端末から送信された前記第２のデータを受信し、
前記無線端末により前記制御情報に含まれる前記第１の情報を用いて判定された前記応答情報であって、前記第２のデータの送信タイミングよりも後において前記無線端末から送信された前記応答情報を受信する、請求項１に記載の基地局。
【請求項１０】
基地局との時分割複信（ＴＤＤ）通信に用いる無線リソースにおいて、第１のデータを、前記第１のデータよりも遅延許容度の高い第２のデータよりも時間的に先行するタイミングで多重した送信データを、前記基地局から受信する受信部と、
前記無線リソースにおいて、前記第１のデータの受信成功又は受信失敗、あるいは、復号成功又は復号失敗を示す第１の応答情報を前記基地局宛に送信する送信部と、を備える、無線端末。
【請求項１１】
基地局と、
無線端末と、を備え、
前記基地局は、前記無線端末との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末宛に送信し、
前記無線端末は、前記無線リソースにおいて、前記第１のデータの受信成功又は受信失敗、あるいは、復号成功又は復号失敗を示す第１の応答情報を前記基地局宛に送信する、無線通信システム。
【請求項１２】
基地局と、無線端末と、を備えた無線通信システムにおける無線通信方法であって、
前記基地局は、前記無線端末との時分割複信（ＴＤＤ）通信に用いる無線リソースにおいて、第１のデータを、前記第１のデータよりも遅延許容度の高い第２のデータよりも時間的に先行するタイミングで多重した送信データを生成して、前記送信データを前記無線端末宛に送信し、
前記無線端末は、前記無線リソースにおいて、前記第１のデータの受信成功又は受信失敗、あるいは、復号成功又は復号失敗を示す第１の応答情報を前記基地局宛に送信する、無線通信方法。
【国際調査報告】
2018138905.tif 000020
2018138905.tif 000021
2018138905.tif 000022
2018138905.tif 000023